(57)【要約】      （修正有）【課題】マンガなどのブックを挿入する際、ブックの表裏表紙やブックのカバーが損傷、破損しないようにした展示ケースを提供する。【解決手段】上面がマンガなどのブックの挿入口１となるように開放し、かつ有底の筒状に形成した可撓性の胴体部Ａと、この胴体部の左右で対向する両側壁２の上縁が挿入する上記ブックによる押し逃げを可能とするための前後で対向する端壁３のうち、片方の端壁３の上縁側に設けた許容手段Ｃからなり、少なくとも許容手段Ｃのない側の端壁３の部分を透明にした。【選択図】図１
2009012856.tif 000002
【特許請求の範囲】
【請求項１】
上面がマンガなどのブックの挿入口となるように開放し、かつ有底の筒状に形成した可撓性の胴体部と、この胴体部の左右で対向する両側壁の上縁が挿入する上記ブックによる押し逃げを可能とするための前後で対向する端壁の片方前記端壁の上縁側に設けた許容手段からなり、少なくとも上記許容手段のない側の端壁の部分を透明にしたことを特徴とする展示ケース。
【請求項２】
上面がマンガなどのブックの挿入口となるように開放し、かつ有底の筒状に形成した胴体部と、上記挿入口から胴体部の前後で対向する片方の端壁と左右で対向する両側壁のそれぞれの内側で対向するように前記胴体部に挿入したブックのジャケットシートの可撓性押えシートとからなり、上記押えシートの上縁部が上記胴体部の上縁に対し上方に突出するように前記押えシートの丈を大きくし、また少なくとも上記押えシートと対向する面の端壁の部分を透明にしたことを特徴とする展示ケース。
【請求項３】
上面がマンガなどのブックの挿入口となるように開放し、かつ有底の筒状に形成した可撓性の胴体部と、この胴体部の左右で対向する両側壁の上縁が挿入する上記ブックによる押し逃げを可能とするための前後で対向する端壁の片方前記端壁の上縁側に設けた許容手段とからなり、上記胴体部の外周にブックのジャケットシートを封じ込む透明な封じ込みシートを設けたことを特徴とする展示ケース。
【発明の詳細な説明】
【技術分野】
【０００１】  この発明は、レンタルショップの棚に並べて使用するマンガなどのブックの展示ケースに関する。
【背景技術】
【０００２】  マンガなどのブックをレンタルショップの棚に陳列する場合、ショップ側の展示ケースに収納して並べている。【０００３】  上記の展示ケースは、胴体部と、この胴体部の下端に取着した台座とからなり、上記の胴体部は、所定形状に裁断した合成樹脂製の板材を筒状に折り曲げて形成している。【０００４】  そして、上記胴体部の表面部と裏面部との上縁には、胴体部内に折り返して前記筒体部内に挿入してあるブックのジャケットシートの表紙の上縁を抱き込む耳部が設けてある（特許文献１）。【０００５】  又他の展示ケースとしては、ブックから取り外したジャケットシートを上面開口から挿入する透明な筒状の展示ケース（筒状の背壁、表壁、裏壁及び背壁で構成された）と、この展示ケースの底部に収納室を底上げした状態で商品を支持するように取着した支持部材とからなる。【０００６】  そして、展示ケースの表壁及び裏壁の上縁に連なる保持片を展示ケース内に折り返して、ジャケットシートの上縁（表側表紙及び裏側表紙の）を抱き込んでいる（特許文献２）。【０００７】
【特許文献１】  特開２００４−２７６９４７号公報
【０００８】
【特許文献２】  特開２００６−２０６８７号公報
【発明の開示】
【発明が解決しようとする課題】
【０００９】  ところで、特許文献１及び特許文献２の展示ケースの商品を上面開口から挿入（落し込む）する筒状の空間（収納空間）を、周囲四面の一方の左右で対向する広い幅の側壁と、他方の前後で対向する狭い幅の端壁とで構成され、開放上縁が連なっている。【００１０】  このような構成の展示ケースにマンガなどのブックを、片方の端壁側にブックの背表紙側を先行させてブックを挿入しようとすると、ブックの表表紙側と裏表紙側とが外方に広がっているので、広がっている表表紙側と裏表紙側とが両側壁の上縁に乗り上げた状態になる。【００１１】  この状態でブックを挿入しようとしても上述の状態のため挿入抵抗が大きく、スムーズな挿入の妨げになり、無理矢理に挿入すると、表裏表紙や表裏表紙の裏側に重なる綴じ込み紙が傷つき、或いは破損する問題が発生した。【００１２】  また、ブックカバーをセットしてあるブックにあっても、上述の問題によりブックカバーが傷つき、破損する。【００１３】  上記の問題は、ブックの挿入にともないブックの表裏表紙側で両側壁を押し逃がして広げようとしても、側壁の上縁と端壁の上縁コーナー部分が連なっているために起因する。【００１４】  そこで、この発明は、上述の問題を解消した展示ケースを提供することにある。
【課題を解決するための手段】
【００１５】  上記の課題を解決するために、この発明は、上面がマンガなどのブックの挿入口となるように開放し、かつ有底の筒状に形成した可撓性の胴体部と、この胴体部の左右で対向する両側壁の上縁が挿入する上記ブックによる押し逃げを可能とするための前後で対向する端壁の片方前記端壁の上縁側に設けた許容手段からなり、少なくとも上記許容手段のない側の端壁の部分を透明にした構成を採用する。【００１６】  また、上面がマンガなどのブックの挿入口となるように開放し、かつ有底の筒状に形成した胴体部と、上記挿入口から胴体部の前後で対向する片方の端壁と左右で対向する両側壁のそれぞれの内側で対向するように前記胴体部に挿入したブックのジャケットシートの可撓性押えシートとからなり、上記押えシートの上縁部が上記胴体部の上縁に対し上方に突出するように前記押えシートの丈を大きくし、また少なくとも上記押えシートと対向する面の端壁の部分を透明にした構成を採用する。【００１７】  さらに、上面がマンガなどのブックの挿入口となるように開放し、かつ有底の筒状に形成した可撓性の胴体部と、この胴体部の左右で対向する両側壁の上縁が挿入する上記ブックによる押し逃げを可能とするための前後で対向する端壁の片方前記端壁の上縁側に設けた許容手段とからなり、上記胴体部の外周にブックのジャケットシートを封じ込む透明な封じ込みシートを設けた構成を採用する。【００１８】  すると、挿入口から胴体部にブックを挿入するブックの表表紙や裏表紙や綴じ込み紙、又ブックにセットしてあるブックカバーの損傷や破損がなくスムーズに挿入することができる。
【発明の効果】
【００１９】  以上のように、この発明の展示ケースによれば、挿入口から展示ケースの胴体部にマンガなどのブックを挿入した際、ブックの表裏表紙や綴じ込み紙の一部の背表紙の反対側（自由端縁側）が外方に広がっているために発生する摩擦抵抗などにともなうスムーズな挿入の阻害を挿入にともない胴体部の両側壁の上縁側を許容手段により外方に押し逃がして広げるため、スムーズな挿入ができると共に、押し逃がしによる広がりによって摩擦抵抗が著しく軽減されて引っかかりや強い摩擦がないため、ブックカバーのない場合の表裏表紙や綴じ込み紙の或いはブックにセットしてある場合のブックカバーの損傷や破損を防止するすぐれた効果がある。【００２０】  また、展示ケースの胴体部に挿入してあるジャケットシートの押えシートの上縁部を胴体部の上縁に対し上方に突出させてあるので、押えシートの内側にブックを挿入した際、ブックにより押えシートの両側の上縁部を外方に広がるように押し逃がす。【００２１】  このため、前述と同様の作用効果がある。【００２２】  さらに、許容手段付胴体部の外周に透明な封じ込みシートを設けてあるので、胴体部がかりに不透明な材料で形成してあっても、封じ込みシートの内側にジャケットシートを封じ込んで宣伝やレンタルに支障のない展示ができると共に、胴体部に許容手段があるため、上述と同様にブックのスムーズな挿入と、ブックに悪影響を及ぼすことがない。
【発明を実施するための最良の形態】
【００２３】  以下、この発明の実施形態を添付図面に基づいて説明する。【００２４】  この発明の第１の実施形態では、図１から図６に示すＡは、上面がマンガなどのブックＸの挿入口１となるように開放し、かつ有底の筒状に形成した可撓性の胴体部である。【００２５】  上記可撓性の胴体部Ａは、図示の場合、所定の形状に裁断した一枚の合成樹脂製の板材により対向する広い幅の両側壁２、２及び対向する狭い幅の端壁３、３により上面を開放させて挿入口１とする筒体５と、下面を閉じる底壁４とで構成してあり、図示のように内と外とで重なり合う端壁３、３及び底壁４、４の重なり面を接着剤や熱溶着などで固着したが、両側壁２の下縁に連なる底壁４を重ねて固着する以外に、両底壁４の対向縁の凹凸状の噛み合部（周知につき図示省略）を噛み合わせて閉鎖したり、両側壁４を筒体５内に折り返して斜め上方に向ける（周知につき図示省略）方式に有底状とすることもある。【００２６】  そして、図示の場合、胴体部Ａ内の底（底壁４上に）に上げ底用支持部材６を落し込んで、挿入口１から胴体部Ａに挿入したブックＸの上部を胴体部Ａの上縁から突出させて、この突出にともないショップの棚に並べて陳列した際のレンタルが可能な旨を知らせるようにしたが、支持部材を使用しないで目的を達成することもでき、又胴体部Ａの上面に略面一になるようブックＸを挿入する場合もある。【００２７】  また、胴体部Ａ内には、落とし込んだ（挿入により例えばブックＸから取り外して使用する）ジャケットシートＹの表裏表紙Ｙ’や背表紙Ｙ”を側壁２、２や片方の端壁３の上縁に連なって胴体部Ａ内に折り返した保持片７により抱き込んで、ジャケットシートＹの脱落を防止するようにしてある。【００２８】  なお、挿入したジャケットシートＹが外部から透視（見えるように）できるように、少なくともショップに陳列した際の通路側の端壁３を透明としておく（図１０に示す）か、全体を透明とする。【００２９】  一部１通路側の端壁３のみを透明にする場合は、一枚の板材の端壁３の部分を透明にし、他の部分を不透明、例えば着色による色物とすればよい。【００３０】  また、対向する両側壁２、２の上縁側が挿入するブックＸによる押し逃げを可能とするための片方の端壁３の上縁側に許容手段Ｃが設けてある。【００３１】  上記の許容手段Ｃは、図１、２、３、１０に示すように端壁３の上端部を側壁３、３の側縁から切り離して欠落１１させる場合と、図５に示すように端壁３と側壁２、２との連成折れ線の上端から下方にスリット１２を入れて設ける場合と、図６に示すように、上述の折れ線の上端から下方にＶ字のカット１３により設ける場合とがある。【００３２】  要するに、ブックＸの挿入にともない両側壁２、２の上縁部が許容手段Ｃにより外方に押し逃がされることを目的とする。【００３３】  上記のように構成すると、展示ケースの胴体部ＡにブックＸを挿入する場合、まず把持したブックＸの背表紙側下コーナー部を挿入口１から許容手段Ｃの存在しない端壁３と両側壁２、２とでかこまれた空間に図７実線で示すように嵌入したのち、斜めに起立しているブックＸを略垂直に近い姿勢（図７二点鎖線に示すように）になるように起こしながら、挿入口１にブッ��Ｘを挿入しようとする。【００３４】  すると、ブックＸの表表紙側と裏表紙側との下縁部が図８に示すように両側壁２、２の（保持片７の部分）上縁内側に図８に示すように当接し、この当接した状況下でさらにブックＸを起こすと許容手段Ｃにより両側壁２、２の上縁部を外方に押し逃がして図８に示すように押し広げるので、ブックＸの表裏表紙側の摩擦抵抗が減少し、この減少によってブックＸの表裏表紙側の損傷や破損を阻止して、挿入口１から胴体部Ａにスムーズな挿入ができる。【００３５】  なお、ブックＸは、図２に示すブックカバーのないものと、図１０に示すように、ブックＸに例えば不透明なブックカバーＸ’をセットしたものとがあり、ブックカバーＸ’がセットしてある場合、摩擦抵抗の減少によってブックカバーＸ’の損傷や破損が防止できる。【００３６】  また、ブックＸの表裏表紙（一部の綴じ込み紙も）の背表紙の反対側が図８一点鎖線で示すように外方に広がっている。【００３７】  この場合、ブックＸの挿入にともない広がりが図８二点鎖線に示すように閉じられて挿入される。【００３８】  さらに、ブックＸの挿入時許容手段Ｃが欠落１１の場合、欠落１１の部分によってブックＸの背表紙の反対側コーナー部が衝突して邪魔されることなくスムーズな挿入が保障され、許容手段Ｃがスリット１２やカット１３の場合、端壁３の上縁部分の内面にブックＸの背表紙の反対側コーナー部分が当接しても、図９に示すように端壁３の上部を外方に折れ逃がして、コーナーをすべらせてブックＸのスムーズな挿入を助長する効果がある。【００３９】  図中１６は折れ線である。【００４０】  この発明の第２の実施形態では、図１２、１３に示すＡ’は、上面がマンガなどのブックＸの挿入口１となるように開放し、かつ有底（底壁４による）の筒状に形成した胴体部である。【００４１】  上記の胴体部Ａ’は、第１の実施形態と同様に、板材を折り曲げて対向する広い幅の側壁２、２と、狭い幅の端壁３、３と側壁２、２の下縁に連なる底壁４、４とで構成したが、限定されず、成形品であってもよい。【００４２】  そして、胴体部Ａ’に挿入口１から挿入したジャケットシートＹが外部から見えるように全体や、ショップに陳列した際の通路側の端壁３のみを透明にしておく。【００４３】  なお、胴体部Ａ’の底に第１の実施形態と同目的の支持部材６を落とし込んであるが、限定されない。【００４４】  また、挿入口１から胴体部Ａ’内には、ジャケットシートＹの背表紙Ｙ”及び表裏表紙Ｙ’の押え込み可撓性の押えシートＤが挿入してある。【００４５】  その際、押えシートＤの上縁部は、挿入口１から（図１３に示すように）上方に突出させてある。【００４６】  上記の押えシートＤは、背部２１と、この背部２１の両側縁から連なって対向する側部２２、２２とが一枚の例えば合成樹脂の可撓性（硬質でない）シートを平面コ字状に折り曲げて形成してあり、図示のように両側部２２の上縁に内方に反転する折り返し片２３を設けておくと、押えシートＤの内側に挿入するブックＸにより折り返し片２３が押圧され、この押圧による復元力で側部２２をジャケットシートＹの表裏表紙Ｙ’に押し付けて、ジャケットシートＹが抜け出るのを防止する。【００４７】  ���記の構成のように構成すると、押えシートＤの胴体部Ａ’の上面から突出する両側部２２、２２間に、ブックＸの背表紙の下側コーナー部を背部２１の内側に嵌入し、次いで傾斜姿勢のブックＸを起こしながら両側部２２間にブックＸの下縁を背表紙から背表紙の反対側に第１の実施形態と同様に遂次押し込む。【００４８】  この押し込みにともない押えシートＤの両側部２２の上縁を外方に押し逃がすので、ブックＸの若干開いている表裏紙を閉じる修正を行ないながら押し込まれ、この現象によってブックＸの表裏表紙の摩擦抵抗が減少し、この減少によってブックＸの表裏表紙や、ブックＸにセットしてあるブックカバーの表裏表紙側の損傷や破損を阻止して、ブックＸのスムーズな挿入（胴体部Ａ’に対する）ができる。【００４９】  この発明の第３の実施形態では、第１の実施形態と同様の許容手段Ｃ付の胴体部Ａを用いる。【００５０】  上記の許容手段Ｃ及び胴体部Ａの構成は、第１の実施形態と同様につき説明を省略する。【００５１】  そして、胴体部Ａの外周面には、ブックＸから取り外して重ねたジャケットＹを封じ込める透明な封じ込みシート３１が設けてある。【００５２】  上記の封じ込みシート３１は、図示の場合、一枚の透明なシートを片方の側壁２の表面から許容手段Ｃのない端壁３をへてもう片方の側壁２の表面に重ね、透明なシートの両側縁を両側壁２、２の側縁に両面粘着テープを介し、或いは透明なシートの片方の側縁を側壁２の側縁に熱溶着で止め、もう片方の側縁を両面粘着テープによる取着部３２着脱自在に止めて、ジャケットシートＹを入れ替えるようにしておく。【００５３】  すると、胴体部Ａがかりに不透明であってもブックＸに見合う封じ込みのジャケットシートＹで陳列時の宣伝効果をそこなうことがない。【００５４】  勿論胴体部Ａを透明にしてもよい。【００５５】  上記許容手段Ｃ付胴体部ＡへのブックＸの挿入、挿入にともなうブックＸの表裏表紙Ｙ’やブックＸにセットしてあるブックカバーＸ’の損傷や破損防止の作用効果は、第１の実施形態と同様につき説明を省略する。【００５６】  なお、第１の実施形態の胴体部Ａ及び第２の実施形態の押えシートＤを可撓性にする要因は、挿入するブックＸにより胴体部Ａの両側壁２、２の上縁部分が外方に押し逃がされて広がり、又挿入するブックＸにより押えシートＤの両側部２２、２２の胴体部Ａ’から上方突出する部分が外方に押し逃がされて広がる変形が可能で、変形方向の加圧力が弱まり或いは加圧がなくなると元の状態に戻る性質のものを使用する。
【図面の簡単な説明】
【００５７】
【図１】    この発明の第１の実施形態を示す分解斜視図
【図２】    ブックの挿入を示す斜視図
【図３】    ブックを挿入した縦断側面図
【図４】    同縦断正面図
【図５】    許容手段の他の例を示す斜視図
【図６】    許容手段の他の例を示す斜視図
【図７】    ブックの挿入作用を示す一部切欠側面図
【図８】    同正面図
【図９】    許容手段の作用を示す一部切欠側面図
【図１０】    胴体部の片方の端壁を透明にした斜視図
【図１１】    カバー付ブックの斜視図
【図１２】    第２の実施形態を示す分解斜視図
【図１３】    同上の使用を示す縦断正面図
【図１４】    第３の実施形態を示す斜視図
【図１５】    同上の横断平面図
【符号の説明】
【００５８】Ａ、Ａ’      胴体部
Ｃ            許容手段
Ｘ            ブック
Ｘ’          ブックカバー
Ｙ            ジャケットシート
Ｙ’          表裏表紙
Ｙ”          背表紙
Ｄ            押えシート
１            挿入口
２            側壁
３            端壁
４            底壁
５            筒体
６            上げ底用支持部材
７            保持片
１１          欠落
１２          スリット
１３          カット
１６          折れ線
２１          背部
２２          側部
２３          折り返し片
３１          封じ込みシート
３２          取着部
【図１】
2009012856.tif 000003
【図２】
2009012856.tif 000004
【図３】
2009012856.tif 000005
【図４】
2009012856.tif 000006
【図５】
2009012856.tif 000007
【図６】
2009012856.tif 000008
【図７】
2009012856.tif 000009
【図８】
2009012856.tif 000010
【図９】
2009012856.tif 000011
【図１０】
2009012856.tif 000012
【図１１】
2009012856.tif 000013
【図１２】
2009012856.tif 000014
【図１３】
2009012856.tif 000015
【図１４】
2009012856.tif 000016
【図１５】
2009012856.tif 000017